(57)【要約】      （修正有）【課題】接眼レンズを有する各種光学機器に対して直接の肉眼観察とカメラによる撮影とを簡単に切り換える。【解決手段】光学機器４の接眼部分３に取り付ける接眼部取付ホルダ６と、結像レンズを光軸方向に移動可能に設けた鏡胴７とを有する光学装置を用い、明視の距離の虚像をカメラにより撮影しまたはＣＣＤを介してモニタで観察する。更に、接眼部取付ホルダと鏡胴とをワンタッチ着脱機構により着脱可能にすることにより、肉眼観察とモニタ観察やカメラでの撮影とを簡単かつ素早く切り換えることができるため、特に健康を害する虞のある顕微鏡での連続観察を回避できると共に、高精度な肉眼観察に切り換えることも容易である。【選択図】図１
2005331923.tif 000002
【特許請求の範囲】
【請求項１】
接眼レンズを有する光学機器に当該接眼レンズに対応する位置に後付けにて固定される接眼部取付ホルダと、前記接眼部取付ホルダに一体的に設けられかつ前記接眼レンズを直接覗いて肉眼で視認する像を結像させるための撮影レンズを保持する鏡胴とを有し、
前記鏡胴に、前記接眼部取付ホルダ側とは相反する側にカメラを取り付けるためのカメラ取付手段と、前記接眼レンズを肉眼で視認するために調整した状態における前記撮影レンズによる結像点を前記カメラの撮像位置に一致させるべく前記撮影レンズの光軸方向位置を調整するためのフォーカス機構とが設けられていることを特徴とする光学装置。
【請求項２】
前記接眼部取付ホルダと前記鏡胴との間に、前記接眼レンズに対する前記鏡胴の光軸方向の位置を決めるための位置決め機構と、前記位置決めの状態を保持するための前記接眼部取付ホルダと前記鏡胴との結合及びその解除をワンタッチ操作で行うワンタッチ着脱機構とが設けられていることを特徴とする請求項１に記載の光学装置。
【請求項３】
前記フォーカス機構による前記撮影レンズの光軸方向移動範囲が、無限遠から明視の距離より短い極至近距離に至る被写体に対して合焦可能な範囲であることを特徴とする請求項１または請求項２に記載の光学装置。
【請求項４】
接眼レンズを有する光学機器に当該接眼レンズに対応する位置に後付けにて固定される接眼部取付ホルダと、前記接眼部取付ホルダに一体的に設けられかつ前記接眼レンズを直接覗いて肉眼で視認する像を結像させるための撮影レンズを保持する鏡胴とを有し、かつ前記鏡胴に前記接眼レンズを肉眼で視認するために調整した状態における前記撮影レンズによる結像点を前記カメラの結像位置に一致させるべく前記撮影レンズの光軸方向位置を調整するためのフォーカス機構が設けられている光学装置に、前記撮影レンズによる結像を撮影しかつその映像出力をモニタに出力するための撮像素子を一体的に設けたことを特徴とする光学装置を用いた撮影装置。
【請求項５】
前記接眼部取付ホルダと前記鏡胴との間に、前記撮影レンズを前記接眼レンズに対して位置決めするための位置決め機構と、前記位置決め状態を保持するための前記接眼部取付ホルダと前記鏡胴との結合及びその解除をワンタッチ操作で行うワンタッチ着脱機構とが設けられていることを特徴とする請求項４に記載の光学装置を用いた撮影装置。
【請求項６】
前記フォーカス機構による前記撮影レンズの光軸方向移動範囲が、無限遠から明視の距離より短い極至近距離に至る被写体に対して合焦可能な範囲であることを特徴とする請求項４または請求項５に記載の光学装置を用いた撮影装置。
【発明の詳細な説明】
【技術分野】
【０００１】
本発明は、接眼レンズを有する光学機器で視認した映像をそのままカメラで撮影可能にするための光学装置及びそれを用いた撮影装置に関するものである。
【背景技術】
【０００２】
従来、光学機器の中で接眼レンズを用いて肉眼で視認するものとして、遠くのものを近くかつ拡大して観察する目的の望遠鏡・双眼鏡・天体望遠鏡・ライフルスコープ・測距儀等があり、また小さなものを拡大して大きく観察する目的の顕微鏡・ルーペ等、あるいは必ずしも像の大きさとは関係なく視野を視認するためのカメラの光学ファインダ等、さらに内視鏡がある。それらは、接眼レンズより観察対象となる物体側に装備された光学系によって作られた像または物体そのものを、接眼レンズを利用することによって所謂明視の距離（肉眼より２５０〜３００ｍｍ程度の距離）、すなわち人間の眼にとって最も容易に観察し得る位置にその像を結ぶように設計されている。それらの光学機器において、例えば測量機にカメラ装置を接続して映像をモニタに映し出して視認・観察することができるようにしたものがある（例えば、特許文献１参照。）。
【特許文献１】特開平１１−３３７３３６号公報（第４頁、図１）
【発明の開示】
【発明が解決しようとする課題】
【０００３】
しかしながら、上記光学機器にあっては接眼レンズを用いて肉眼で視認・観察するものであり、それをカメラで撮影しようとするためには上記文献のようにカメラ用に光軸を屈折させる光学系を追加するなど装置が複雑化するという問題があった。
【０００４】
また、上記した各光学機器の接眼レンズを通した映像を撮影する方法にはいわゆるコリメータ法など幾つかの方法があるが、コンパクトタイプのデジタルカメラ以外の一般的な通常のカメラ（特にデジタル型を含む一眼レフカメラやビデオカメラ）にあってはいわゆる明視の距離を撮影範囲に加えているものは少ない。そのため、カメラと干渉しないように接眼レンズの位置を大幅に変えたり、接眼レンズをカメラに合わせた撮影用に変えたり等していた。特に、バードウォッチングなど肉眼での観察が望まれる場合には、肉眼で観察しつつ必要に応じて撮影状態に変えることになるが、その切り換えに時間が掛かり、撮影タイミングを逸してしまうという問題があった。
【０００５】
また、各種光学機器のそれぞれに合わせて特別に設計された装置か、あるいはその機種のみに使用できる特殊な接続具などを用いてカメラを結合して撮影するようにしていたため、汎用性が低いという問題があった。
【０００６】
さらに、多くの分野で微細な疵を発見する検査等で顕微鏡が利用されている。しかしながら、顕微鏡による検査にあっては人間の眼を酷使することになり、長時間の検査を行うと弊害が出るため、一定時間毎の休養が必要であった。さらに、顕微鏡検査を行う作業は同一人にとっては３年程度が限度であり、それ以上続けることは健康を害する場合がある。そのような問題に対しては、特に顕微鏡検査を必要とする業界にあってはその改善が強く望まれている。
【０００７】
なお、顕微鏡を直接覗くことによる上記した弊害を回避するための手法として、ビデオカメラを用いて拡大映像をモニタ（ＣＲＴや液晶モニタ）に映し出し、モニタによる疵の検出検査を行うようにしたものがある。この手法によれば、映像化されたモニタ上の拡大映像を両眼で通常の状態で観察できるため、顕微鏡検査に比べて目に与える疲労度は皆無に近い。
【０００８】
しかしながら、モニタを用いた検査の場合には、その検出精度がモニタの解像度に左右されるため、顕微鏡検査よりは検出精度が劣ってしまう。例えば顕微鏡検査では明確に検出できて良否の判定が可能な疵が、モニタ上ではやや不明確な状態に映し出されてしまう場合がある。このように、現状において観察（検査）が容易であると共に眼の健康にも支障がないモニタ検査であっても、眼の健康に考慮する必要があるが高精度な検査が可能な顕微鏡検査であっても、それぞれ一長一短がある。
【０００９】
また、近視や遠視など視認者に視力の違いがあり、さらに同一人であっても左右の視力に違いがある場合があり、そのような視力の違いに対応するべく、顕微鏡や望遠鏡などの光学機器にあってはその接眼レンズの光軸方向位置を調整可能にしているものがある（顕微鏡にあっては対物レンズを位置調整する場合もある）。そのように視力の違いによって接眼レンズの位置調整をした場合には接眼レンズを通して視認する結像（虚像）の位置となる明視の距離に違いが生じる。デジタル型を含む一眼レフカメラにより写真撮影をしたりビデオカメラによりモニタに映し出したりする（以後、特に断らない限りカメラによる撮影と言う）場合にはその調整された接眼レンズに対応してカメラ側の撮像面（フィルムや撮像素子の撮像面）の位置を合わせる必要があり、カメラによる撮影状態に切り換えた場合にその都度位置調整をする必要が生じるなど、裸眼による視認状態とカメラによる撮影状態との切り換えが煩雑化するという問題があった。
【課題を解決するための手段】
【００１０】
このような課題を解決して、接眼レンズを有する各種光学機器に光学的・機械的な調整を必要とせずに光学機器に対する直接的な視認（観察）及びカメラによる撮影を簡単に切り換えることができるようにするために本発明に於いては、接眼レンズを有する光学機器に当該接眼レンズに対応する位置に後付けにて固定される接眼部取付ホルダと、前記接眼部取付ホルダに一体的に設けられかつ前記接眼レンズを通じて肉眼で視認する像を結像させるための撮影レンズを保持する鏡胴とを有し、前記鏡胴に、前記接眼部取付ホルダ側とは相反する側にカメラを取り付けるためのカメラ取付手段と、前記接眼レンズを肉眼で視認するために調整した状態における前記撮影レンズによる結像点を前記カメラの撮像位置に一致させるべく前記撮影レンズの光軸方向位置を調整するためのフォーカス機構とが設けられているものとした。
【００１１】
特に、前記接眼部取付ホルダと前記鏡胴との間に、前記接眼レンズに対する前記鏡胴の光軸方向の位置を決めるための位置決め機構と、前記位置決めの状態を保持するための前記接眼部取付ホルダと前記鏡胴との結合及びその解除をワンタッチ操作で行うワンタッチ着脱機構とが設けられていると良い。また、前記フォーカス機構による前記撮影レンズの光軸方向移動範囲が、無限遠から明視の距離より短い極至近距離に至る被写体に対して合焦可能な範囲であると良い。
【００１２】
あるいは、接眼レンズを有する光学機器に当該接眼レンズに対応する位置に後付けにて固定される接眼部取付ホルダと、前記接眼部取付ホルダに一体的に設けられかつ前記接眼レンズを通じて肉眼で視認する像を結像させるための撮影レンズを保持する鏡胴とを有し、かつ前記鏡胴に前記接眼レンズを肉眼で視認するために調整した状態における前記撮影レンズによる結像点を前記カメラの結像位置に一致させるべく前記撮影レンズの光軸方向位置を調整するためのフォーカス機構が設けられている光学装置に、前記撮影レンズによる結像を撮影しかつその映像出力をモニタに出力するための撮像素子を一体的に設けた撮影装置であると良い。
【００１３】
上記撮影装置において、前記接眼部取付ホルダと前記鏡胴との間に、前記撮影レンズを前記接眼レンズに対して位置決めするための位置決め機構と、前記位置決め状態を保持するための前記接眼部取付ホルダと前記鏡胴との結合及びその解除をワンタッチ操作で行うワンタッチ着脱機構とが設けられていると良い。また、前記フォーカス機構による前記撮影レンズの光軸方向移動範囲が、無限遠から明視の距離より短い極至近距離に至る被写体に対して合焦可能な範囲であると良い。
【発明の効果】
【００１４】
このように本発明によれば、光学機器の接眼レンズを通じて肉眼で視認する方式の全ての光学機器（顕微鏡・望遠鏡・測距儀など）で肉眼により視認できる映像を、カメラにより撮影する（デジタル型を含む一眼レフカメラにより写真撮影をしたりビデオカメラによりモニタに映し出したりする）ことができるため、光学機器に対する肉眼による視認とカメラによる撮影とを簡単に切り換えることができる。特に、市販の顕微鏡や望遠鏡などの光学機器において視力の違いに対応するべく接眼レンズを調整可能にしたものに対して、視認者の違いに応じて調整した接眼レンズに対してカメラによる撮影の調整を一度すれば、その調整後の接眼レンズに対する裸眼による視認とカメラによる撮影との切り換えに際して再度調整し直すことなく、視認及び撮影を任意に行うことができる。
【００１５】
請求項１によれば、鏡胴を一体的に設けられた接眼部取付ホルダを光学機器の接眼部分に固定すると共に、接眼部取付ホルダに一体的に設けた鏡胴にカメラ取付手段として例えば一眼レフカメラ用交換レンズにおけるカメラマウントと同じ構造のカメラマウント（例えばバヨネット式）を設けることにより、接眼レンズを介して肉眼で視認した映像を、撮影レンズを介してカメラによる撮影が可能になるため、接眼レンズを直接覗いて視認したり、その視認した像をカメラにより撮影したりすることを接眼部取付ホルダの着脱により容易に行うことができる。また、視認する者の視力に応じて接眼レンズを調整した場合に、その調整された接眼レンズに対応して撮影レンズの位置を一度設定すれば、以後の視認状態とカメラ撮影状態との切り換えにおいて接眼レンズや撮影レンズの再設定を行うことなく、肉眼での視認及びその視認された映像のカメラによる撮影をすることができる。
【００１６】
接眼レンズで視認（観察）する光学機器にあってはその明視の距離が、視認者の視力に応じて接眼レンズを調整することにより決まり、それに合わせて撮影レンズの位置を調整して、撮影レンズによる結像位置をカメラの撮像面に位置させることができる。それにより、光学機器において本来の観察形態である肉眼で視認される映像をその状態のまま撮影することができるため、その利用範囲も学術・医療・教育関係のみならずあらゆる分野で例えば資料作成に有効に利用可能である。例えば教育の場や講演会等において、教師や講師が光学機器を直接覗いて自身の目でピント調整した映像をテレビやモニタ上に大画面で映し出したい場合には、本光学装置にカメラを取り付けて撮影することにより大勢の受講者が同時に同一の画面を見て視認することができるため、リアルタイムでの講義が可能であり、講義内容を充実させることができる。なお、望遠鏡に装着した光学装置を介してカメラにより撮影する場合には、望遠鏡の接眼レンズにより明視の距離に遠方の映像が拡大された虚像が結ばれ、その拡大された映像をカメラにより撮影することができるため、望遠鏡を長焦点の望遠レンズの代わりに使用することができる。
【００１７】
また請求項２によれば、接眼部取付ホルダと鏡胴との間に両者を位置決めする位置決め機構（例えば印籠継構造）を設けると共に、ワンタッチ操作で位置決め保持の結合とその解除を行うことができるワンタッチ着脱機構（例えばバヨネット式や弾性係合片を用いた取り付け構造）を設けることにより、光学機器に接眼部取付ホルダを取り付けたままワンタッチ操作で鏡胴を着脱することができる。そのため、光学機器を直接覗いて視認するべく自分の視力に合わせて接眼レンズを調整し、かつその調整された接眼レンズに合わせて撮影レンズの位置調整を行ってカメラで撮影できるように設定することを一度行えば、それ以降における各調整を行うことなく、肉眼での視認とカメラによる撮影との切り換えをワンタッチ操作で切り換えることができ、それぞれに応じた適切な視認を簡単かつ速やかに切り換えて行うことができる。
【００１８】
また請求項３によれば、撮影レンズを無限遠から光学機器の明視の距離（人間の眼にとって最も容易に観察し得る２５０〜３００ｍｍ程度の距離）を含みかつより近接した極至近距離（１５０ｍｍ程度）に至る被写体に対して合焦可能にするフォーカス機構を有することにより、本光学装置のみをカメラに装着した状態で上記範囲の被写体を撮影することもできる。その場合には無限遠から所謂明視の距離を含む至近距離に至る撮影に好適なカメラ用交換レンズとして本光学装置を使用することができるため、その汎用性が高くなる。
【００１９】
あるいは請求項４に示すように、上記光学装置に、撮影レンズによる結像を撮影するための撮像素子を一体的に設けると共に、その撮像素子による映像出力をモニタに出力するようにした撮影装置によれば、従来肉眼で直接接眼レンズを覗いて長時間に亘って視認・観察することにより眼を悪化させる等の問題があった顕微鏡検査作業などにおいて、撮像素子による映像信号をモニタに出力することができるため、視認・観察対象をモニタ上に映し出して視認・観察することにより上記眼の悪化を防止することができる。この場合においても、視認する者の視力に応じて接眼レンズを調整した場合に、その調整された接眼レンズに対応して撮影レンズの位置を一度設定すれば、以後の視認状態と撮像素子による撮影状態との切り換えにおいて接眼レンズや撮影レンズの再設定を行うことなく、肉眼での視認及びその視認された映像の撮像素子による撮影をすることができる。
【００２０】
例えば連続的な顕微鏡検査や、長時間に亘って徐々に変化する野生動物の観察などにあっては、そのような検査や観察を連続的に光学機器を覗いて行うと眼精疲労を伴い、場合によっては健康を害する虞があるが、撮影装置により検査対象や観察対象をモニタに映し出しておけば、自然な姿勢や楽な姿勢で検査や観察を行うことができ、簡単かつ容易に連続して検査や観察を行うことが可能になる。さらに、モニタにあっては光学機器を直接覗いての視認に比べれば解像度が劣るのが実情であり、モニタ上での視認に限界が生じた場合には光学機器から本撮影装置を外すことにより光学機器に対する直接的な視認による高精度な検査や観察を行うことができる。その直接的な視認が終わったら再び撮影装置を光学機器に取り付けてモニタによる検査や観察を続けることができ、直接的な視認を一時的なものとすることができるため、大部分を自然で無理のない姿勢により健康を維持でき、かつ上記したように高精度な検査や観察も可能である。なお、接眼レンズを用いた光学機器として望遠鏡などは安価に入手可能であり、それを屋外に設置して本撮影装置を装着することにより、屋外に設置した光学機器の映像を屋内のモニタで、より簡単には一般的なテレビで観察することができ、上記観察などをより一層簡易に行うことができる。
【００２１】
また請求項５によれば、接眼部取付ホルダと鏡胴との間に両者を位置決めする位置決め機構（例えば印籠継構造）を設けると共に、ワンタッチ操作で位置決め保持の結合とその解除を行うことができるワンタッチ着脱機構（例えばバヨネット式や弾性係合片を用いた取り付け構造）を設けることにより、光学機器に接眼部取付ホルダを取り付けたままの状態で本撮影装置を任意にかつ簡単に取り付け取り外しをすることができるため、連続的な検査（観察）の場合に有効である。その場合には、通常は撮影装置によるモニタ上での検査（観察）を行い、より詳しく検査したい場合には鏡胴及び撮像素子側を取り外して顕微鏡を直接肉眼で覗くことができる。このようにすることにより、顕微鏡を肉眼で連続して覗くことにより健康を害するという問題が無くなり、また現状では解像度に限界があるモニタ上だけの検査では詳細な観察ができないという問題も無くなる。
【００２２】
また請求項６によれば、撮影レンズを無限遠から光学機器の明視の距離（人間の眼にとって最も容易に観察し得る２５０〜３００ｍｍ程度の距離）を含みかつより近接した極至近距離（１５０ｍｍ程度）に至る被写体に対して合焦可能にするフォーカス機構を有することにより、本光学装置単独で上記範囲の被写体を撮影することもできる。
【発明を実施するための最良の形態】
【００２３】
以下、本発明の実施の形態を、図面を参照しながら説明する。図１に、本発明に基づく光学装置を望遠鏡に装着した例の全体側面図を示す。図において、三脚１の雲台１ａ上に望遠鏡２が固定されており、その望遠鏡２の接眼部分３に本光学装置４の軸線方向一端部が同軸に装着されている。光学装置４の軸線方向他端部には一眼レフカメラ５が結合されている。
【００２４】
図２に光学装置４の全体側断面図を示す。本光学装置４は、接眼部取付ホルダ６と鏡胴７とからなる。接眼部取付ホルダ６は、接眼部分３の外径と同一または拡径された内周面を有する筒状体６ａと、筒状体６ａの接眼部分３側とは相反する軸線方向端に設けられた外向フランジ６ｂとを有する形状に形成されている。その外向フランジ６ｂに鏡胴７の軸線方向一端が着脱自在に結合されている。この鏡胴７は、絞り機構を有するものであり、簡単には図示例のように撮影レンズ１３を支持するレンズ支持体１４のカメラ５側の開口１４ｂであって良い。また、鏡胴７の接眼部取付ホルダ６側とは相反する側にカメラマウント８が同軸かつ一体的に設けられている。
【００２５】
接眼部取付ホルダ６の筒状体６ａは接眼部分３に同軸的に外装され、カメラマウント８は一眼レフカメラ５の交換レンズ結合部５ａと結合される。なお、カメラマウント８は、一般的な一眼レフカメラ用交換レンズの結合部と同様のバヨネット式の構造に形成されている。なお、寸法等の違いに対してはそれに対応し得るカメラマウント８を用意して付け替えれば良い。
【００２６】
接眼部取付ホルダ６の筒状体６ａには、図３に併せて示されるように、その直径方向の２箇所で開口端から軸線（光軸Ｃ）方向に切り込まれた一対のスリット６ｃが設けられていると共に、外周面にはスリット６ｃを横切る位置に周方向に延在する周方向溝６ｄが設けられている。その周方向溝６ｄに嵌るようにＣ字状の固定用バンド９が接眼部取付ホルダ６の外周面に巻き掛けられている。Ｃ字状をなす固定用バンド９の両端部には互いに対向する突片９ａが形成されており、両突片９ａ間には円板状の固定用ダイヤルノブ１１が挟持されるように設けられている。
【００２７】
固定用ダイヤルノブ１１には同軸かつ互いに両側方外側に突出するねじ軸１１ａ・１１ｂが一体に設けられており、各ねじ軸１１ａ・１１ｂが互いに異なる向きの雄ねじを形成されかつ両突片９ａにねじ込まれている。したがって、固定用ダイヤルノブ１１を一方に回すことにより両突片が９ａ互いに近付き、他方に回すことにより両突片９ａが互いに遠ざかるようになり、そのようにして固定用バンド９を巻き締めまたは緩めることができ、このようにして接眼部取付ホルダ６を光学機器の接眼部分３に着脱自在にかつ固定した装着状態とすることができる。
【００２８】
本図示例では、接眼部取付ホルダ６の内周面であってスリット６ｃの延在する範囲内に、Ｃ字状断面形状の押さえ環（アダプタ）１２が設けられている。この押さえ環１２の内径ｄを各種光学機器の接眼部分（接眼レンズを設けられた外周部）の外径と同一またはスリット６ｃの幅により調整可能な限度に拡径した大きさのものを複数種類（例えば２５〜３８ｍｍの中で３種類）用意しておくことにより、市販されている各種の光学機器の概ね全ての接眼部分に装着可能である。
【００２９】
そして、固定用バンド９を緩めた状態で接眼部取付ホルダ６（筒状体６ａ）を接眼部分３に外装し、光軸方向に対しては適度な位置にセットして、固定用バンド９を巻き締めることにより接眼部取付ホルダ６（筒状体６ａ）を接眼部分３に密着状態にして固定することができる。
【００３０】
鏡胴７には接眼部取付ホルダ６と同軸に撮影レンズ１３が配設されている。図示例では、鏡胴７の内周面に軸線方向に摺接自在に設けられたレンズ支持体１４により撮影レンズ１３が支持されている。レンズ支持体１４の外周面の適所に半径方向外向きのリードピン１４ａが一体に設けられている。鏡胴７には、上記リードピン１４ａを貫通状態に受容しかつ軸線方向にガイドする軸線方向スロット７ａが設けられている共に、その外周にはピント調整カム筒１５が同軸に回動し得るように外装されている。そのカム筒１５の内周面にはリードピン１４ａの突出端部が没入し得る幅のカム溝１５ａが形成されている。
【００３１】
カム溝１５ａは、軸線方向スロット７ａと共働して、カム筒１５を周方向に回した際にリードピン１４ａを軸線方向にガイドするように形成されている。したがって、カム筒１５を回すことにより撮影レンズ１３が光軸方向に所定量移動し得るようになっており、このようにしてフォーカス機構が構成されている。なお、位置決めした撮影レンズ１３の位置固定にあっては、カム筒１５の鏡胴７に対する摺接抵抗によるものであって良い。また、鏡胴７とカム筒１５との両者間に位置決め部材１０を設け、例えば位置決め部材１０をいずれか一方に起立倒伏自在に設けかつ他方に周方向溝を設け、位置決め部材１０の先端に周方向溝に係合させる弾性係合爪を設けるようにしても良い。また、カム筒１５の外周面には手で操作し易くするために滑り止め材が貼着されていると良い。このようにして、撮影レンズ１３を一体的に備える鏡胴７が構成されている。
【００３２】
このようにして構成された光学装置を上記図示例のように望遠鏡２の接眼部分３に装着し、かつ一眼レフカメラ８と結合することにより、接眼レンズ３ａによる映像を撮影レンズ１３を介して一眼レフカメラ８のフィルム面Ｆ上に結像させることができる。この場合、例えばカム筒１５に目印を記し、鏡胴７に明視の距離に相当する目盛りを記しておくことにより、光学機器に対応させて目盛りを合わせ、その状態でレンズ支持体１４の光学機器側の前端を接眼部分３の軸線方向外端面３ｂに当接させて装着するだけでほぼ合焦する映像を撮影することができる。一眼レフカメラ８の場合には、ファインダで覗くことにより合焦を確認することができる。またモニタ付きデジタルカメラの場合にはそのモニタで確認することができる。
【００３３】
各種光学機器における接眼レンズによる明視の距離は人間の眼にとって最も容易に観察し得る位置に結像するようにされており、概ね２５０〜３００ｍｍである。また、一般的に接眼部分３に眼を近接させて視認・観察することから、光学機器における接眼レンズと接眼部分の端面３ｂとの距離（図２のＬ）はほぼ一定である。したがって、カメラ５を結合した本光学装置を上記したように接眼部分３に装着した状態で、上記明視の距離と距離Ｌとに基づいてカメラ５のフィルム面Ｆ上に合焦させるための撮影レンズ１３の位置を予め設定しておくことができる。その位置は、一般的な光学機器に装着する場合にはほぼ一定とすることができる。
【００３４】
装着しただけでフィルム面Ｆ上に結像しない場合でも、カム筒１５を正逆回転させて撮影レンズ１３を例えば図の想像線に示されるように移動させることによりフィルム面Ｆ上に像を合焦させることができる。あるいは光学機器側の視度調整機構を調整することでも良い。なお、一眼レフデジタルカメラにあっては、フィルム型一眼レフカメラと同様にして合焦を確認し、モニタ付きであれば撮影直後にその映像をモニタで確認することができる。
【００３５】
また、一般的な一眼レフカメラに使用されるレンズは一眼レフの機構上（ボディ内でミラーが作動する）最低４０ｍｍ程度のバックフォーカス（最終レンズ面からピント位置までの距離）を必要とするが、その条件を満たせばどのような焦点距離のレンズも使い得る。ただし、焦点距離が長くなれば全体の機構も長くなり、取り扱い難くなるため好ましくない。そこで本図示例では、焦点距離５０ｍｍであって明るさ（最大口径比）１：３．５の単焦点レンズを撮影レンズ１３として用いた。なお、上記フィルム面Ｆ上への結像条件を満たす限り撮影レンズ１３には、単焦点レンズでも、また必要に応じてズームレンズでも使用可能である。図示例では簡単のため単焦点レンズとした。
【００３６】
本光学装置を望遠鏡に装着した場合には望遠レンズとしての効果がある。その効果としては、使用レンズの焦点距離に装着した望遠鏡の倍率を掛け合わせた数字、すなわち仮に２０倍の望遠鏡を装着した場合には、上記撮影レンズ１３を例として説明すると１０００ｍｍ（＝５０ｍｍ×２０）となり、ほぼ１０００ｍｍの望遠レンズとしての効果となる。また、一般に１０倍以上の望遠鏡が見受けられる。例えば１０倍の場合には５００ｍｍの望遠レンズに想到するが、それでも高倍率であるため、より低倍率の望遠レンズとして利用したい場合には、例えば５倍程度の望遠鏡を作成して提供すると良い。これでも、５０ｍｍの撮影レンズ１３と組み合わせた場合には２５０ｍｍの望遠レンズと同等の倍率効果が得られる。さらに、例えば２．５倍の縮小倍率の広角鏡（視野像が縮小して広範囲が写る）を装着すれば、５０ｍｍの撮影レンズ１３の場合には１／２．５倍すなわち２０ｍｍの超広角レンズと同等の視野となる撮影が可能になる。
【００３７】
また、本光学装置４にカメラマウント８を設けて交換レンズとして用いる場合には、結合対象のカメラを図示例の一眼レフカメラ５（デジタルカメラを含む）に限定されるものではない。ビデオカメラにおいても一眼レフカメラ用交換レンズに対応し得るマウント構造を有するものがあり、そのようなビデオカメラにも適用可能である。
【００３８】
また、固定用ダイヤルノブ１１を逆に回すことにより固定用バンド９を緩めて本光学装置４を光学機器から簡単に外すことができるため、必要に応じて接眼レンズを直接覗いた視認・観察を容易に行うことができる。これは、接眼部分を外してアダプタなどを取り付けてカメラで撮影するものでは簡単に行うことができないものであり、本装置による利点である。さらに、接眼部分に装着しないで撮影することもでき、その場合には接眼部取付ホルダ６を必要としないので、接眼部取付ホルダ６と鏡胴７とを着脱自在とすることにより、接眼部取付ホルダ６を外して撮影することができる。その着脱自在な機構としては種々の形態が考えられ、例えばバヨネット式であって良い。
【００３９】
また、本光学装置４にあっては上記望遠鏡に装着するのに限られるものではなく、図４に顕微鏡２１に上記光学装置４を装着した外観図を示す。なお、上記図示例と同様の部分には同一の符号を付してその詳しい説明を省略する。このように、本発明による光学装置４にあっては、装着対象の光学機器が接眼レンズを設けた接眼部分が円筒状に突出している光学機器であれば良く、上記図示例の望遠鏡・顕微鏡の他に、例えば双眼鏡・天体望遠鏡・ライフルスコープ・測距儀・ルーペ・カメラの光学ファインダ、さらに内視鏡に適用可能である。それらへの装着要領は上記図示例と同様であるため図示省略する。また、その効果も同様である。
【００４０】
次に、上記光学装置を用いた撮影装置３１について示す。図５は望遠鏡２に装着した例であり、上記図示例と同様の部分には同一の符号を付してその詳しい説明を省略する。図６に併せて示されるように、本撮影装置３１における接眼部取付ホルダ６の構造にあっては上記図示例と同一であり、また鏡胴７及び撮影レンズ１３の移動構造にあっても上記図示例と同様であって良く、それらの説明を省略する。
【００４１】
本撮影装置３１にあっては、上記図示例における一眼レフカメラ８のフィルム面Ｆに対応する部分には撮像素子としてのＣＣＤ３２が配設されている。なお、受光面積の小さなＣＣＤ３２を用いても視認・観察に十分な解像度を確保することができ、例えば１／３〜１／４インチ程度のＣＣＤの場合には、撮影レンズ１３には焦点距離８〜１２ｍｍ程度のレンズを用いることができる。また上記例と同様に必要に応じてズームレンズを用いても良い。
【００４２】
さらにＣＣＤ３２にはその電源を含む制御回路を設けた基板３３が接続されている。それらＣＣＤ３２及び基板３３は、筒状のケーシング３４内にて何らかの支持部材を介して固定されて、そのようにしてビデオカメラと同様のＣＣＤカメラが構成されている。なお、基板３３には、外部の電源に接続される電源コード３５の一端側と図１に示されるように外部に設けられたモニタ３６に接続するための映像コード３７の一端側とがそれぞれ接続されている。
【００４３】
この撮影装置３１にあっては、接眼レンズ３ａによる映像をＣＣＤ３２上に結像し、ＣＣＤ３２で受像された電子像をモニタ３６へ電送して、モニタ３６の画面３６ａに映し出す。これにより、望遠鏡２を用いた視認・観察においてモニタ３６による大画面にて視認・観察することができるため、接眼レンズ３ａにより直接肉眼でかつ単眼で長時間対象物を視認し続ける場合の苦痛や眼の悪化を防止することができる。野生動物の観察や長時間に亘って徐々に変化する対象物の観察等において接眼レンズ３ａを覗いての無理な姿勢を長時間取り続ける場合に対しても、モニタ３６に映し出された映像を見ることで、極めて簡単かつ容易に連続した観察・監視が可能である。なお、ＣＣＤ３２による撮影を行う本撮影装置３１にあっては、絞りは必要ない。
【００４４】
また、本撮影装置３１にあっても上記望遠鏡に装着するのに限られるものではなく、図７に顕微鏡２１に上記撮影装置３１を装着した外観図を示す。なお、上記図示例と同様の部分には同一の符号を付してその詳しい説明を省略する。このように、本発明による撮影装置３１にあっては、装着対象の光学機器が接眼レンズを設けた接眼部分が円筒状に突出している光学機器であれば良く、上記図示例の望遠鏡・顕微鏡の他に、例えば双眼鏡・天体望遠鏡・ライフルスコープ・測距儀・ルーペ・カメラの光学ファインダに適用可能であり、内視鏡にも適用し得る。それらへの装着要領は上記図示例と同様であるため図示省略する。また、その効果も同様である。
【００４５】
また、光学機器の接眼レンズを裸眼で覗いて観察する場合がある。その場合には観察者が近視であったり遠視であったりするため、観察者によって明視の距離が異なることになる。その調整は光学機器側の接眼レンズ３ａにより可能であるが、接眼レンズ３ａの位置を変えた場合には接眼レンズ３ａを介した結像位置が変わることになる。
【００４６】
本光学装置にあっては、上記したように撮影レンズ１３によるピント位置の調整が可能である。この撮影レンズ１３のピント位置調整により、上記明視の距離の違いを補正可能である。具体的には、観察者が接眼レンズ３ａを覗いて光学機器による視認に適した光学的調整を行い、その状態でカメラ５や撮影装置３１を装着し、カメラ５の場合にはファインダを覗き、撮影装置３１の場合にはモニタを見ながら合焦するように撮影レンズ１３によるピント位置調整を行うことができる。
【００４７】
これにより、観察者が一度自分の視力に合わせて接眼レンズ３ａの位置を調整し、その接眼レンズ３ａの位置に応じて撮影レンズ１３のピント位置を調整すれば、その後、光学機器を直接覗いた肉眼での視認と撮影装置３１を取り付けることによるモニタでの観察とを再度調整することなく任意に切り換えて行うことができる。これは、例えば顕微鏡２１での検査において特に有効である。顕微鏡２１を直接肉眼で覗いて長時間検査することは健康を害する虞があり好ましくないため、通常は撮影装置３１を顕微鏡２１に装着してモニタでの検査を行う。モニタ検査にあっては、眼の位置が自由であり、また離れた位置から見ることができるなど楽な姿勢での検査となって疲労度は極めて少ない。しかしながら、モニタの解像度の限界により細かな疵などに対する判断が難しい場合がある。その場合には、本光学装置及び撮影装置３１を顕微鏡２１から取り外すことができるため、顕微鏡２１を直接肉眼で観察して、正確な判断を行うことができる。その検査が終わったら再度光学装置及び撮影装置３１を顕微鏡２１に取り付けて、モニタでの観察に戻すことができる。このように、必要な時だけ顕微鏡２１に対する直接肉眼での観察を行うことができるため、健康を害することがない。
【００４８】
また、接眼レンズ３ａの調整位置に対して撮影装置３１側で対応できるため、視力が異なる観察者が交替しても、その観察者による接眼レンズ及び撮影レンズの各ピント位置を調整すれば、その後上記と同様に肉眼での視認及びカメラによる撮影を何ら問題なく行うことができる。
【００４９】
そして、上記光学装置及び撮影装置３１の取り付け取り外しにおいて一切の光学的調整を必要とせず、上記作業を容易に実施することができる。さらに、その取り付け取り外しにおいて固定用ダイヤルノブ１１を回すだけという簡単な操作で固定用バンド９を巻き締めたり緩めたりすることができるため、ワンタッチ操作で上記異なる観察形態を選択することができる。このことは、一眼レフカメラ５を用いた場合も同様であり、また望遠鏡などの他の光学機器に対しても同様である。
【００５０】
また、光学機器に取り付けずにそのまま通常の撮影をすることができる。この場合も上記光学装置の例で述べた場合と同様に、無限遠から極至近距離に至るまで希望の被写体に対して通常のカメラと同様に必要な条件を設定して映出することができる。
【００５１】
さらに、モニタ出力と並列に映像出力を出力し、それを磁気記録媒体等に記録することができる。これは、オンタイムで視認・観察する必要がない場合などに便利である。また、光学機器に取り付けないで単独で撮影することも可能である。
【００５２】
次に光学装置の他の例について図８乃至１３により示す。なお、上記図示例と同様の部分には同一の符号を付してその詳しい説明を省略する。
【００５３】
この光学装置４１には例えば３枚の玉からなるレンズ１３がレンズ支持体１４に一体に保持されて設けられている。なお、３枚構成のレンズ１３には特別な意味はなく、他の複数枚構成のレンズを使用しても良い。そのレンズ支持体１４は、レンズ支持体１４を外囲する第１の鏡胴４２によりその軸線方向（光軸方向）に移動自在に支持されている。第１の鏡胴４２には、レンズ支持体１４のリードピン１４ａを光軸方向にガイドするべく軸線方向に沿うスロット４２ａが設けられている。第１の鏡胴４２の外周にはピント調整用のカム筒１５が外装されている。
【００５４】
第１の鏡胴４２の光学機器側の軸線方向端面にはＬ字状断面をなす第２の鏡胴４３が同軸に固着されている。カム筒１５の光学機器側の略半分が第２の鏡胴４３の円筒部分により外囲されている。なお、カム筒１５におけるカメラ側の略半分の外周面には係合部材１５ａが一体化されて、その係合部材１５ａの光学機器側端部が第２の鏡胴４３の内周側に入り込んでおり、それによりカム筒１５の脱落が防止されている。なお、係合部材１５ａの外周面には手で把持しかつカム筒１５を回し易くするために例えばゴム製のグリップが設けられている。
【００５５】
第２の鏡胴４３における光学機器側の軸線方向端面には接眼部取付ホルダ４５が着脱自在に結合されている。この着脱機構にあっては、種々の構造のものが適用可能であるが、図示例では簡単にするためバヨネット式の例を示している。図８に示されように、第２の鏡胴４３の軸線方向端面には例えば径方向の対称位置に配置された一対の固定用ピン５９が突設されている。固定用ピン５９の突出部分は軸部とその突出端にて拡径された頭部とからなる。接眼部取付ホルダ４５の第２の鏡胴４３側には円環状の後端板４４が設けられており、その後端板４４の外周部分が外向フランジ状に形成され、その外向フランジ部に、図９に示されるように、固定用ピン５９と共働してバヨネット式結合機構を構成する一対の円弧状スロット４４ａが設けられている。このようにして、接眼部取付ホルダ４５と鏡胴４２・４３とが着脱自在にされている。
【００５６】
カメラ８に結合した状態の鏡胴４２・４３に対して接眼部取付ホルダ４５を図９の矢印Ａに示される向きに回すことにより、固定用ピン５９に対して円弧状スロット４４ａが図の想像線に示されるように位置して、両者間のバヨネット式結合を解除することができる。そして、図１０に示されるように接眼部取付ホルダ４５を鏡胴４２・４３から容易に取り外すことができる。本光学装置４１を交換レンズとして使用する場合には、接眼部取付ホルダ４５は必要でないため、図１０に示されるように接眼部取付ホルダ４５を取り外して撮影することができる。このように撮影レンズ１３を一体的に備える鏡胴４２・４３と接眼部取付ホルダ４５とを着脱自在にすることにより、取り扱い性が良くなる。
【００５７】
この図示例における接眼部取付ホルダ４５は、後端板４４に対峙して設けられた前端板４６と、両端板４４・４６間に軸線方向に沿って掛け渡されかつ径方向の対称位置に配設された一対の枢軸４７と、各枢軸４７により支持されたブロック状の把持部材４８と、両把持部材４８を外囲するカムリング４９と、各把持部材４８をカムリング４９の内周面に向けて弾発付勢する戻しばね５０とからなる。
【００５８】
把持部材４８には、図１０に良く示されるように枢軸４７を挟む二股形状をなす爪部４８ａが形成されている。図１０は、各爪部４８ａを接眼部分３の外周面に当接させた両把持部材４８により接眼部分３を把持した状態を示している。爪部４８ａは枢軸４７の軸線方向に対しても隙間を空けて分割された形状をなし、その隙間に位置するようにねじりコイルばねからなる戻しばね５０が枢軸４７に巻装されている。戻しばね５０の互いに相反する向きに延出された両端部が図１０に示されるように把持部材４８の上記隙間における左右両端部と係合するようにされている。
【００５９】
また、カムリング４９の内周部には、把持部材４８の爪部４８ａとは相反する側の背部４８ｂと摺接する一対のカム面４９ａが形成されている。カム面４９ａは、カムリング４９の半周に渡って半径方向に高低差を有する軸線方向から見て半円弧状の斜面からなる。把持部材４８は、戻しばね５０により半径方向外向きに弾発付勢されており、図１２に示されるようにカム面４９ａの半径方向外向きに対する最深部と把持部材４８の背部４８ｂとが当接した状態では、把持部材４８が接眼部分３に対して最大離反状態となる。
【００６０】
カムリング４９を周方向に回すことにより、カム面４９ａの半径方向高さが変化し、それに応じて把持部材４８が半径方向に往復動し得るため、把持部材４８を半径方向内向きに移動させるようにカムリング４９を回すことにより、両把持部材４８により接眼部分３を径方向に把持することができる（図１１）。なお、その把持状態は、カム面４９ａと背部４８ｂとの摩擦係合力により保持可能である。その把持状態を緩める方向にカムリング４９を回しておくことにより、接眼部分３に対する着脱時の挿抜を行うことができる。このように構成された本図示例の接眼部取付ホルダ４５によれば、光学機器の接眼部分３に対する着脱が容易である。なお、接眼部取付ホルダによる固定機構は図示例のものに限定されるものではなく、任意に固定及びその解除可能なものであれば良い。
【００６１】
接眼部分３にあっては種々の光学機器において外径が異なるため、それらの径違いに対応し得ることが好ましい。その径違いを上記した把持部材４８の半径方向移動機構で対応でき、例えば現在市販されている各種光学機器の接眼部分の外径が上記したように２８〜４２ｍｍ程度であるため、それらに対応し得るように把持部材４８の半径方向移動量を設定すれば良い。
【００６２】
なお、特殊なものにおいて例えばより小径の接眼部分３の場合には、図１３に示されるように軸線方向から見てＣ字状をなすと共に軸線方向長さを把持部材４８の対応する長さに合わせて形成された極小径用アダプタ５１を用いることにより対応可能である。この場合には、予め接眼部分３に極小径用アダプタ５１を外装しておき、その外周面を接眼部分３の外周面として両把持部材４８により把持することになる。このようにして、あらゆる光学機器の接眼部分に本光学装置４１を装着可能であり、汎用性が高い。
【００６３】
この図示例のように接眼部取付ホルダ４５を光学機器の接眼部分３に固定したままとすることにより、光学機器に対する接眼部取付ホルダ４５の位置決めを一度行うだけで、光学機器に対する肉眼での直接的な観察とカメラや撮影装置を用いた撮影との切り換えを行うことができる。これにより、図示例のバヨネット式結合などのように結合と芯出し（光軸合わせ）とを同時に行うことができるものとすることにより、一度調整した状態を簡単に再現することができる。光学機器と本光学装置との間の光軸ずれはある程度は許容できるが、接眼部取付ホルダ４５と鏡胴７とがバヨネット結合される構造とされていることにより、カメラ５や撮影装置３１の取り付けの度に光軸調整を確認する必要がない。
【００６４】
また本光学装置４１にあっては、撮影レンズ１３のカメラ側に絞り機構を設けている。この絞り機構は、特別な構造である必要はなく、市販の一般的な複数枚の絞り羽根５２を用いて光軸中心部に任意の大きさの開口（絞り）を形成するものであって良い。図示例では、レンズ支持体１４に各絞り羽根５２が揺動自在に枢支され、絞り羽根５２は絞り羽根押さえ５３により軸線（光軸）方向に支持されている。その絞り羽根押さえ５３には、絞り羽根５２の上記枢支位置とは異なる位置に突設されたリードピン５２ａが貫通状態に係合している。さらに、絞り羽根押さえ５３を外囲するように絞り羽根リング５４が設けられており、その絞り羽根リング５４は、第１の鏡胴４１の内周面により同軸に回動自在に支持された絞り連動用リング５５と一体化されている。
【００６５】
第１の鏡胴４１には環状の絞り切替枠５６が外装されており、その絞り切替枠５６と絞り連動用リング５５とがピン５７を介して連結されている。また、絞り連動用リング５５の内周面には軸線方向溝５５ａが設けられており、絞り羽根リング５４の外周面に半径方向外向きに突設されたリードピン５４ａが軸線方向溝５５ａにより軸線方向にガイドされるようになっている。これにより、撮影レンズ１３を光軸方向に移動させた場合に、絞り羽根５２及びその上記した開閉機構を撮影レンズ１３と共に移動させることができる。
【００６６】
そして、図８に示されるようにレンズ支持体１４の接眼部分３に当接する部分に緩衝材５８を設けると良い。これにより、接眼部分３に対する保護及び光軸方向のある程度の位置決めをすることができる。上記したように、接眼レンズを有しかつ肉眼で視認・観察する光学機器にあっては、その明視の距離がある程度決まっており、上記した光軸方向の位置決めは有効である。通常は、撮影レンズ１３を所定の位置に位置させた状態（カム筒１５の回動位置を所定のマーク位置に合わせた状態）で緩衝材５８が接眼部分３に当接する位置で接眼部取付ホルダ４５により固定することにより、被写界深度の範囲でピントの合った撮影が可能である。光学機器側の接眼レンズによる明視の距離の設定は特に規格があるものではないので、ピントが合わない場合も生じるが、本光学装置４１によれば、上記図示例と同様に撮影レンズ１３の光軸方向の調整により対応可能である。
【００６７】
本図示例のものにあっては、絞り切替枠５６を回すことにより絞り連動用リング５５が回動し、その軸線方向溝５５ａとリードピン５４ａとの係合を介して絞り羽根リング５４も回動する。その絞り羽根リング５４の回動によりリードピン５２ａが周方向に移動するため、絞り羽根５２がレンズ支持体１４に対する枢支位置を回転中心として回動する。その回動量に応じて、各絞り羽根５２による絞りとなる開口面積を変化させることができる。絞りとしては、例えば一般的なカメラで通常使用される最小絞りとなるＦ値１：１６または１：２２をさらに上回る小絞りとなるＦ値１：３２や１：４４まで設定可能にすると良い。なお、絞りの開放側では、上記図示例での述べた撮影レンズ１３の１：３．５となるようにする。
【００６８】
これにより、光学機器に装着して使用しない場合のカメラ５による通常撮影における無限遠から至近距離に至る撮影に加えて、撮影レンズ１３から被写体までの距離が２００ｍｍ程度の極至近距離に対する撮影が可能になる。そのような極至近距離の撮影の場合には、被写界深度が極端に浅くなるため、その被写界深度を深くするために通常の撮影環境では利用されない程の非常に深い絞りとして例えば上記したＦ値１：４４の絞りを絞り切替枠５６を回わして設定し、動くものを撮影する場合には、極端に絞ったことによる極端な光量不足を補うためにカメラ５側でストロボを強制発光して撮影する。この場合には発光時のみ撮影可能であることから、ストロボ発光のピーク時間がシャッター速度を代行する形となり、それにより瞬間的なシャッター効果が得られ、激しく動いている被写体を静止した状態で撮影することができる。
【００６９】
絞りを上記したように非常に暗い絞りとした場合には、一眼レフカメラのファインダでは非常に暗くなってファインダを覗いての条件設定が困難になる。その場合には、絞りを大きく開けて明るい映像の元で条件設定を行い、撮影する段階になったら上記したような小絞りとして撮影すれば良い。なお、ストロボ光の到達距離には限界があるため、撮影された被写体の背景が暗くなる場合がある。それを防ぎたい場合であって被写体が不動の物体である場合には、ストロボを使用しないでシャッター速度を遅くして撮影すれば良い。
【００７０】
なお、この例における接眼部取付ホルダ４１にあっては、図示例のカメラに結合される光学装置４に限られず、上記したＣＣＤ３２を設けた撮影装置３１の該当部分にも適用されるものである。その場合の接眼部分３に対する装着要領及びその作用効果は上記したものと同様である。
【００７１】
上記図示例では接眼部取付ホルダ４１と撮影レンズ１３部分（鏡胴４３・４４）との着脱自在な機構としてバヨネット式について示したが、バヨネット式に限定されるものではなく、同等の利便性を有する着脱機構であれば他の構造のものであって良いことは言うまでもない。そのようにすることにより、上記撮影形態の違いに対する取り扱いの良さの他に、接眼部取付ホルダ４５をカメラ用の鏡胴とＣＣＤを設けた鏡胴との共通のものとして使用することができ、カメラまたはＣＣＤによる撮影に応じて適宜結合し直すことにより撮影が可能になるため、両者に対応する光学装置としてのコストを低減し得る。
【００７２】
図１４は、顕微鏡に撮影装置を取り付けた状態を示す要部破断側断面である。図において、例えば顕微鏡２１の接眼部分としての接眼スリーブ２１ａに接眼部取付ホルダ７１が取り付けられている。この接眼部取付ホルダ７１は、接眼スリーブ２１ａの外周面に対してほぼ隙間無くかつ挿抜可能な大きさの内径を有する円筒状に形成されている。接眼部取付ホルダ７１は、光学機器側となる前端部に大径部７１ａが形成され、カメラ側となる後端部に小径部７１ｂが形成された外形をなす。その大径部７１ａと小径部７１ｂとの段部となる部分には小径部７１ｂよりも縮径された底面を有する周方向溝７１ｃが形成されている。
【００７３】
大径部７１ａには、例えば周方向に等角度ピッチの３箇所にて半径方向内向きに貫通するようにねじ込まれ固定ねじ７２が配設されている。また、大径部７１ａにおける固定ねじ７２を設けられた部分の内周面の一部が凹設されており、その凹設部分と接眼スリーブ２１ａの外周面との間には薄肉円筒形のスペーサ７３が設けられている。
【００７４】
なお、スペーサ７３は、固定ねじ７２をねじ込んで接眼部取付ホルダ７１を光学機器に後付けで固定する場合に固定ねじ７２の先端が接眼スリーブ２１ａの外周面に突き当たって傷付けてしまうことを防止するためのものであり、その表面が傷付き難い弾性素材で形成されていると良い。弾性素材とすることにより、例えば図に示されるように接眼レンズ３ａの枠が接眼スリーブ２１ａの外径よりも大きい場合であっても、スペーサ７２をある程度拡げて装着可能である。
【００７５】
また、接眼部取付ホルダ７１のカメラ側端部には、接眼スリーブ２１ａの軸線方向端面（肉眼で覗く部分）における開口を外囲する部分に覆い被さる形状の半径方向内向きフランジ７１ｄが形成されている。これにより、接眼部取付ホルダ７１を接眼スリーブ２１ａに取り付ける時に半径方向内向きフランジ７１ｄが接眼スリーブ２１ａに当接することで接眼部取付ホルダ７１の接眼スリーブ２１ａに対する光軸方向の位置決めが行われる。その後、固定ねじ７２で固定することができる。
【００７６】
接眼部取付ホルダ７１の小径部７１ｂには円筒状のカメラ枠７４が抜き差し自在な状態で嵌装されている。カメラ枠７４には同軸かつ一体的にカメラケース７５が結合されている。図示例では、カメラケース７５の一部をカメラ枠７４内に所定量突入させた状態で両者が結合されている。カメラケース７５内には上記図示例と同様に撮影レンズ１３とＣＣＤ３２を内蔵するＣＣＤカメラ７６とが設けられている。この撮影レンズ１３も、接眼レンズ３ａにより明視の距離に作られる虚像をＣＣＤカメラ７６に結像するものである。
【００７７】
そして、この図示例にあっては、接眼部取付ホルダ７１と鏡胴としてのカメラ枠７４とがワンタッチ操作で着脱自在にされており、その構造について以下に示す。
【００７８】
上記したように接眼部取付ホルダ７１にカメラ枠７４が嵌装される。なお、カメラ枠７４のカメラ側部分の内径が接眼レンズ３ａの枠よりも小径にされている。これにより、カメラ枠７４のカメラ側部分の小径部が半径方向内向きフランジ７１ｄに当接する。
【００７９】
また、カメラ枠７４には、図示例では径方向に対称となる一対のロックレバー７７が配設されている。ロックレバー７７は、カメラ枠７４の半径方向に揺動し得るようにその中間部を枢支されている。カメラ枠７４の前端（光学機器側）は、接眼部取付ホルダ７１への取り付け状態で周方向溝７１ｃと重ならない。ロックレバー７７の長手方向一端部には周方向溝７１ｃに向けて突設された三角断面形状の係合突部７７ａが形成されており、接眼部取付ホルダ７１に対するカメラ枠７４の取り付け状態で係合突部７７ａが周方向溝７１ｃに係合することにより、カメラ枠７４が光軸方向に抜け止めされ、上記カメラ枠７４の半径方向内向きフランジ７１ｄに対する当接と合わせて、カメラ枠７４が光軸方向に位置決めされる。
【００８０】
ロックレバー７７の長手方向他端部はカメラ枠７４に対して半径方向外向きに若干曲げられている。そのロックレバー７７の他端部とカメラ枠７４との間にはばね体７８が介装されている。このばね体７８により係合突部７７ａが周方向溝７１ｃに没入する向きにロックレバー７７が弾発付勢されているため、カメラ枠７４の接眼部取付ホルダ７１に対する取り付け状態が保持される。
【００８１】
なお、この図示例にあっても、光学機器における明視の距離の違いに対応し得るように、カメラ枠７４に光軸方向にスロットが設けられ、そのスロットを貫通してカメラケース７５にねじ込まれている調整つまみ７９が設けられている。調整つまみ７９を緩めることにより、カメラ枠７４に対してカメラケース７５が光軸方向にスロットの長さに応じて移動可能である（図の矢印Ｂ）。その移動によりアイポイントを調整した位置で調整つまみ７９を締めることによりカメラ枠７４に対してカメラケース７５が固定されるため、上記調整位置に撮影レンズ１３が固定される。なお、この調整により、観察者の視力に合わせて接眼レンズ３ａを移動して明視の距離が移動しても、その虚像をＣＣＤカメラ７６に結像させることができる。
【００８２】
また、上記図示例の絞り切替枠５６と同様の調整ダイヤル８０がカメラケース７５を外囲するように設けられている。その調整ダイヤル８０を周方向に回すことにより上記図示例と同様の構造であって良い絞り調整機構（図示せず）により絞りを調整することができる。
【００８３】
上記したようにロックレバー７７が揺動することにより周方向溝７１ｃに対してカメラ枠７４の半径方向に係合突部７７ａが出没するため、ばね体７８のばね力に抗して両ロックレバー７７の長手方向他端部を図の矢印Ｃに示される向きにカメラ枠７４側に押し下げることにより、係合突部７７ａを周方向溝７１ｃから離脱させることができる。これにより、係合突部７７ａの周方向溝７１ｃに対する係合（没入状態）を解除することができ、その状態でカメラ枠７４を接眼部取付ホルダ７１から抜くというワンタッチ操作でカメラ枠７４すなわち撮影装置を光学機器から取り外すことができる。
【００８４】
また、カメラ枠７４を接眼部取付ホルダ７１に取り付ける場合には、図１５に示されるように、カメラ枠７４を接眼部取付ホルダ７１に対してほぼ同軸的に整合させつつ光軸方向（矢印Ｄ）に差し込むようにするだけで良い。図示例のように、ばね体７８により弾発付勢された状態で、三角断面形状からなる係合突部７７ａの光学機器側の傾斜面が接眼部取付ホルダ７１の外周縁に衝当するように形成しておくことにより、上記取り付け時の移動に伴って図の矢印Ｅに示されるようにロックレバー７７の係合突部７７ａ側が押し広げられるようになる。そして、接眼部取付ホルダ７１の外周面上に係合突部７７ａの突出端が乗り上げ、その乗り上げ状態のまま周方向溝７１ｃに至ると、周方向溝７１ｃ内に弾発的に没入して図１４の係合状態になる。このように、カメラ枠７４を接眼部取付ホルダ７１に光軸方向に差し込むというワンタッチ操作で光学機器に撮影装置を一体的に取り付けることができる。
【００８５】
このようにワンタッチ操作で光学機器に撮影装置を着脱（結合及びその解除）することができるため、上記した顕微鏡での検査におけるモニタ上の検査と顕微鏡を直接覗いた検査（肉眼検査）とを簡単かつ素早く切り換えることができる。また、光学機器に対して接眼部取付ホルダ７１を予め固定しておくので、接眼部取付ホルダ７１とカメラ枠７４との間の整合性にあっては上記したような機械的結合構造により容易に再現可能であり、上記着脱において改めて光学機器に対して光軸合わせやピント調整を行う必要が無いため、モニタ検査（やカメラ撮影）と肉眼検査とを併用する場合の作業性が良い。特に、上記したように詳しく検査したい時だけ顕微鏡を直接覗いた検査を行い、通常の検査にあってはモニタにより行うことにより健康を害することなく検査を可能にすると共に、その切り換えを簡単かつ速やかに行うことができるため、そのような検査において有効である。
【００８６】
また、上記図示例ではＣＣＤカメラ７６を用いた例について示したが、図２で示したような一眼レフカメラを用いても同様である。その場合には、カメラ枠７４に図２と同じカメラマウント８を取り付けて、カメラ枠７４を一眼レフカメラに取り付けておく。
【００８７】
光学機器を望遠鏡としてバードウォッチングをする場合には、望遠鏡の接眼部分に上記接眼部取付ホルダ７１を取り付けておき、また観察者の視力に合わせて位置調整された接眼レンズ３ａに対してカメラで合焦するように、一度カメラを取り付けて撮影レンズ１３の位置を調整しておく。通常は、望遠鏡を肉眼で直接覗いた観察を行い、被写体（鳥）を撮影する場合にはカメラ枠７４を取り付けてカメラにより撮影する。
【００８８】
この時、カメラを上記したワンタッチ操作で素早く望遠鏡に取り付けることができるため、バードウォッチングにおいて重要なシャッターチャンスを逃してしまうことを防止し得る。また、シャッターチャンスを逃さないために常時カメラを取り付けたままでカメラのファインダ越しに観察を続ける必要がないため、撮影時以外には通常の望遠鏡による観察を行うことができるなど、観察及び撮影を楽に行うことができる。
【００８９】
また、ワンタッチ操作が可能なワンタッチ着脱機構にあっては、上記図示例に限られるものではなく、種々の機構が可能である。例えば図１６に示されるような機構であっても良い。なお、上記図示例と同様の部分については同一の符号を付してその詳しい説明を省略する。
【００９０】
図１６では、接眼部取付ホルダ７１に支持板８１が固着されており、その支持板８１には接眼レンズ３ａを通る光を通すのに充分な開口からなる径方向凹設部８１ａが設けられている。径方向凹設部８１ａの長手方向の一端（図における上側）は支持板８１の外周面の一部に開口し、その他端は閉じられている。カメラケース７５の光学機器側となる端面には、径方向凹設部８１ａに対してその長手方向にスライド可能に係合するスライド係合板８２が固着されている。
【００９１】
スライド係合板８２は略矩形に形成されており、その長手方向及び幅方向の長さはそれぞれカメラ枠７４の外径よりも大きい。径方向凹設部８１ａの幅はカメラ枠７４を支持しつつ長手方向に移動自在にする大きさにされている。また、径方向凹設部８１ａにはスライド係合板８２の幅方向両側縁部を長手方向にガイドするための左右のガイド溝８１ｂが設けられている。なお、スライド係合板８２の略中心部には、上記接眼レンズ３ａを通って撮影レンズ１３に向かう光を通すための孔が設けられている。
【００９２】
カメラ枠７４を接眼部取付ホルダ７１に取り付けるには、スライド係合板８２の両側縁部を両ガイド溝８１ｂに合わせ、図の矢印Ｆに示されるようにスライド係合板８２を径方向凹設部８１ａに差し込むようにする。スライド係合板８２の両側縁部が両ガイド溝８１ｂにガイドされることによりスライド係合板８２が光軸方向に位置決めされる。
【００９３】
また、スライド係合板８２の差し込み方向端が両ガイド溝８１ｂに連続して形成された底に当接することによりスライド係合板８２の光軸に直交する向きの位置決めがなされ、接眼レンズ３ａと撮影レンズ１３との光軸の整合が行われるようになっている。なお、スライド係合板８２のガイド溝８１ｂとの間の隙間によるずれがあるが、それは許容範囲となり得る。
【００９４】
この機構によれば、スライド係合板８２を径方向凹設部８１ａのガイド溝８１ｂに合わせてスライドさせるだけで、撮影装置を光学機器に取り付けることができる。また、取り外す場合も、逆方向にスライドさせるだけで良い。なお、その他の作用効果については上記図示例と同様である。
【図面の簡単な説明】
【００９５】
【図１】本発明に基づく光学装置を望遠鏡に装着した例の全体側面図である。
【図２】光学装置の全体側断面図である。
【図３】図２の矢印III−III線に沿って見た要部拡大断面図である。
【図４】本発明に基づく光学装置を顕微鏡に装着した例の全体側面図である。
【図５】本発明に基づく撮影装置を望遠鏡に装着した例の全体側面図である。
【図６】撮影装置の全体側断面図である。
【図７】本発明に基づく撮影装置を顕微鏡に装着した例の全体側面図である。
【図８】光学装置の他の例を示す接眼部分に装着した場合の全体側面図である。
【図９】図８の矢印IX−IX線に沿って見たバヨネット式の構造を示す図である。
【図１０】接眼部取付ホルダと撮影レンズ部分との分離状態を示す側面図である。
【図１１】図８の矢印XI−XI線に沿って見た縦断面図である。
【図１２】把持部材の最大離反状態を示す図９に対応する図である。
【図１３】アダプタを用いた把持状態を示す図９に対応する図である。
【図１４】ワンタッチ着脱機構の他の例を示す要部破断側断面図である。
【図１５】図１４の取り付け要領を示す図である。
【図１６】ワンタッチ着脱機構のさらに別の例を示す要部斜視図である。
【符号の説明】
【００９６】
３  接眼部分、３ａ  接眼レンズ
４  光学装置
６  接眼部取付ホルダ、６ａ  筒状体、６ｃ  スリット
７  鏡胴、７ａ  軸線方向スロット６ａ
８  カメラマウント
９  固定用バンド
１１  固定用ダイヤルノブ
１２  押さえ環
１３  撮影レンズ
１４  レンズ支持体、１４ａ  リードピン
１５  カム筒、１５ａ  カム溝
２１  顕微鏡
３１  撮影装置
３２  ＣＣＤ
３６  モニタ
３７  映像コード
４８  把持部材、４８ａ  爪部
４９  カムリング、４９ａ  カム面
５０  戻しばね
５２  絞り羽根
７１  接眼部取付ホルダ、７１ｃ  周方向溝
７４  カメラ枠
７５  カメラケース
７７  ロックレバー、７７ａ  係合突部
７８  ばね体
【図１】
2005331923.tif 000003
【図２】
2005331923.tif 000004
【図３】
2005331923.tif 000005
【図４】
2005331923.tif 000006
【図５】
2005331923.tif 000007
【図６】
2005331923.tif 000008
【図７】
2005331923.tif 000009
【図８】
2005331923.tif 000010
【図９】
2005331923.tif 000011
【図１０】
2005331923.tif 000012
【図１１】
2005331923.tif 000013
【図１２】
2005331923.tif 000014
【図１３】
2005331923.tif 000015
【図１４】
2005331923.tif 000016
【図１５】
2005331923.tif 000017
【図１６】
2005331923.tif 000018